(57)【要約】【課題】腕や肩、ひじなどをあまり動かすことなしに着脱可能な、袖のないノースリーブの肌着（女性・婦人用の、ブラジャー、シュミーズ（シミーズ）、スリップなど、男性用の、頭部を通す開口部が円形状などになっている、丸首や、Ｕネック、Ｖネックなどのノースリーブの肌着）を提供する。【解決手段】肌着を着装する人の頭部の上側から下側に向けて下ろし、肌着の左右一対の肩紐部の間に形成されている開口を介して頭部を通過させ、右肩、左肩の上に前記左右一対の肩紐部をそれぞれ架け渡した後、体の右の脇の下の位置及び、左の脇の下の位置で係合を行って着装し、肌着を着装している人の体の右の脇の下の位置及び、左の脇の下の位置で係合を解除して、上側方向に向けて引き上げ、前記左右一対の肩紐部の間に形成されている開口に頭部を通過させて取り外す肌着。【選択図】図６
2017002443.tif 000002
【特許請求の範囲】
【請求項１】
左右一対のカップ部と、
左右方向に伸びる背中側ベルト部と、
前記左右一対のカップ部のそれぞれの上端側と前記背中側ベルト部の上端側とに架け渡される左右一対の肩紐部と、
前記左右一対のカップ部のそれぞれからそれぞれ横方向に伸びる左右一対のサイドベルト片とを備えていて、
前記左右一対のサイドベルト片の先端側にそれぞれ配備されている前部係合手段と、
前記背中側ベルト部の左右両端側にそれぞれ配備されている後部係合手段とが、
互いに、係脱自在になっている
ブラジャー。
【請求項２】
前記左右一対の肩紐部を人体の右肩、左肩にそれぞれ掛けて前記ブラジャーを人体に着装する際、前記左右一対のサイドベルト片の先端側にそれぞれ配備されている前部係合手段と、前記背中側ベルト部の左右両端側にそれぞれ配備されている後部係合手段との間の係合が、当該人体の左右両方の脇の下の位置に対応する位置でそれぞれ行われる
ことを特徴とする請求項１記載のブラジャー。
【請求項３】
前後一対になっていてそれぞれ上下方向に伸びる前身頃と、後身頃、
前記前身頃と、前記後身頃の、前記上下方向に直交する方向である左右方向におけるそれぞれの端側の上端側同士を連結する左右一対の肩紐部、
前記前身頃の前記左右方向における一方の端側と、これに対応する前記後身頃の前記左右方向における一方の端側及び、前記前身頃の前記左右方向における他方の端側と、これに対応する前記後身頃の前記左右方向における他方の端側をにそれぞれ配備されていて、両者の間の係脱を行う、前部係合手段と、後部係合手段と、
を備えている肌着。
【請求項４】
前記左右一対の肩紐部を人体の右肩、左肩にそれぞれ掛けて前記肌着を人体に着装する際、前記前身頃の前記左右方向における前記一方の端側と前記他方の端側にそれぞれ配備されている前記前部係合手段と、前記後身頃の前記左右方向における前記一方の端側と前記他方の端側にそれぞれ配備されている前記後部係合手段との間の係合が、当該人体の左右両方の脇の下の位置に対応する位置でそれぞれ行われる
ことを特徴とする請求項３記載の肌着。
【発明の詳細な説明】
【技術分野】
【０００１】
この発明は、肌にじかにつける下着である肌着に関する。特に、袖のないノースリーブの肌着、例えば、男性用であれば、頭部を通す開口部が円形状などになっている、いわゆる、丸首や、Ｕネック、Ｖネックなどのノースリーブの肌着、女性・婦人用であれば、ブラジャー、シュミーズ（シミーズ）、スリップなどに関し、人体への着脱を簡単・容易に行うことのできる肌着に関する。
【背景技術】
【０００２】
肌にじかにつける下着である肌着であって、袖のないノースリーブの肌着としては、男性用であれば、頭部を通す開口部が円形状などになっている、いわゆる、丸首や、Ｕネック、Ｖネックなどのノースリーブの肌着がある。女性用・婦人用などであれば、ブラジャー、シュミーズ（シミーズ）、スリップなどがある。
【０００３】
これらはいずれも、肌着を着装する人の左右両方の肩に架け渡される部分と身頃部に相当する部分との間に形成される開口部に、ひじを曲げ、肩を動かして、右腕、左腕を通して着脱するのが一般的である。
【０００４】
例えば、ブラジャーは、一般に、左右一対のカップ部と、当該左右一対のカップ部のそれぞれから横方向にそれぞれ伸びる左右一対のベルト部と、前記左右一対のカップ部のそれぞれの上端側と前記左右一対のベルト部の先端側における上端側とに架け渡される左右一対の肩紐部とを備えている。
【０００５】
人体にブラジャーが着装される際には、左右一対の肩紐部と左右一対のベルト部との間に、ひじを曲げ、肩を動かして、右腕、左腕を通し、左右一対の肩紐部が人体の右肩、左肩に掛けられる。そして、例えば、左右一対のベルト部の先端側にそれぞれ配備されている係合手段を人体の背中側で互いに係合させることによって着装する。取り外す際には、人体の背中側における前記係合手段による係合を解除し、左右一対の肩紐部と左右一対のベルト部との間を、ひじを曲げ、肩を動かして、右腕、左腕を通して取り外している。
【０００６】
あるいは、前記左右一対のベルト部は連続した一本のベルト部になっていて、左右一対のカップ部同士の間に係合手段が配備されていて、左右一対の肩紐部と左右一対のベルト部との間に、ひじを曲げ、肩を動かして、右腕、左腕を通し、左右一対の肩紐部を人体の右肩、左肩に掛けた後、人体の胸の前で当該係合手段を互いに係合させることによって着装する。取り外す際には、人体の胸の前における前記係合手段による係合を解除し、左右一対の肩紐部と左右一対のベルト部との間を、ひじを曲げ、肩を動かして、右腕、左腕を通して取り外している。
【０００７】
いずれにしても、ブラジャーを付けるときも、外す時も、腕や肩、ひじを動かす必要がある。
【０００８】
また、ブラジャーを付け、その上に、肌着やブラウスなどを着ている状態から腕や肩、ひじを動かして従来のブラジャーを取り外すのは簡単ではなかった。
【０００９】
更に、ブラジャーを付けずに、肌着やブラウスなどを着ているときに、その状態で従来のブラジャーを取り付けることも簡単ではなかった。
【００１０】
腕や肩、ひじを動かすことに困難を感じない人であっても、従来のブラジャーの場合には、脱着の際に前述したような動作が必要で、脱着が簡単ではなく、腕や肩、ひじを動かすことが容易でない人の場合には、従来のブラジャーではその脱着が一層容易ではなかった。
【００１１】
そこで、腕や肩、ひじを動かすことが容易でない人であっても簡単に着装できることを目的としたブラジャーが提案されている（特許文献１）。
【００１２】
ブラジャーについて上記で説明した点は、ブラジャー以外の、女性・婦人用のノースリーブの肌着であるシュミーズ（シミーズ）や、スリップなど、あるいは、男性用の、頭部を通す開口部が円形状などになっている、いわゆる、丸首や、Ｕネック、Ｖネックなどのノースリーブの肌着であっても同様である。
【００１３】
人体に着脱する際には、肌着を着装する人の左右両方の肩に架け渡される部分と身頃部に相当する部分との間に形成される開口部に、ひじを曲げ、肩を動かして、右腕、左腕を通して着脱していた。
【００１４】
そこで、腕や肩、ひじを動かすことに困難を感じない人であっても、従来のシュミーズ（シミーズ）や、スリップなどの袖のないノースリーブの肌着や、男性用のノースリーブの肌着の場合には、着脱の際に前述したような動作が必要で、着脱に困難さを混じることがあった。
【００１５】
腕や肩、ひじを動かすことが容易でない人の場合には、従来のシュミーズ（シミーズ）や、スリップなどの袖のないノースリーブの肌着や、男性用のノースリーブの肌着ではその着脱が一層容易ではなかった。
【００１６】
そこで、介護用の衣服の分野では、着衣、脱衣時の介護者、被介護者の肉体的負担の少ない介護用衣服の提案が行われている（特許文献２）。
【先行技術文献】
【特許文献】
【００１７】
【特許文献１】特開２０１１−２２６０５０号公報
【特許文献２】特開２０１０−８４２９６号公報
【発明の開示】
【発明が解決しようとする課題】
【００１８】
高齢化社会の今日では、腕や肩、ひじを動かすことに困難を感じる人、例えば、介護を受けている被介護者や、高齢者などが増加する傾向にあり、腕や肩、ひじなどをあまり動かすことなしに着脱可能な、袖のないノースリーブの肌着（例えば、女性・婦人用であれば、ブラジャー、シュミーズ（シミーズ）、スリップなど、男性用であれば、頭部を通す開口部が円形状などになっている、いわゆる、丸首や、Ｕネック、Ｖネックなどのノースリーブの肌着）への要望が高まっている。
【００１９】
以下、本明細書では、介護を受けている被介護者や、高齢者などをはじめとして、腕や肩、ひじなどを動かすことに困難を感じている人を総称して被介護者と表す。
【００２０】
また、被介護者を世話したり介護している人（以下、単に「介護者」と表す）からすると、被介護者に腕や肩、ひじなどをあまり動かしてもらうことなく、被介護者の体に簡単に着脱できる、袖のないノースリーブの肌着（例えば、女性・婦人用であれば、ブラジャー、シュミーズ（シミーズ）、スリップなど、男性用であれば、頭部を通す開口部が円形状などになっている、いわゆる、丸首や、Ｕネック、Ｖネックなどのノースリーブの肌着）が望まれている。
【００２１】
特に、女性・婦人用のブラジャーに関しては、プライバシーの観点も考慮して、被介護者がブラジャーを付け、その上に、肌着やブラウスなどを着ている状態で、被介護者に腕や肩、ひじなどをあまり動かしてもらうことなく、被介護者の体から簡単に取り外すことのできるブラジャー、被介護者がブラジャーを付けずに、肌着やブラウスなどを着ているときに、その状態で、被介護者に腕や肩、ひじなどをあまり動かしてもらうことなく、被介護者の体に簡単に着装できるブラジャーを提供することが望まれている。
【００２２】
そこで、この発明は、上記のような要望に応えることのできる、袖のないノースリーブの肌着（例えば、女性・婦人用であれば、ブラジャー、シュミーズ（シミーズ）、スリップなど、男性用であれば、頭部を通す開口部が円形状などになっている、いわゆる、丸首や、Ｕネック、Ｖネックなどのノースリーブの肌着）を提供することを目的にしている。
【課題を解決するための手段】
【００２３】
袖のないノースリーブの肌着（例えば、女性・婦人用であれば、ブラジャー、シュミーズ（シミーズ）、スリップなど、男性用であれば、頭部を通す開口部が円形状などになっている、いわゆる、丸首や、Ｕネック、Ｖネックなどのノースリーブの肌着）を着装する人の頭部の上側から下側に向けて下ろし、肌着の左右一対の肩紐部の間に形成されている開口を介して肌着を着装する人の頭部を通過させ、肌着を着装する人の右肩、左肩の上に前記左右一対の肩紐部をそれぞれ架け渡した後、肌着を着装する人の体の右の脇の下の位置及び、左の脇の下の位置で係合を行って着装し、肌着を着装している人の体の右の脇の下の位置及び、左の脇の下の位置で係合を解除して、肌着を着装している人の上側方向に向けて引き上げ、前記左右一対の肩紐部の間に形成されている開口に頭部を通過させて取り外す肌着である。
【００２４】
左右一対のカップ部と、
左右方向に伸びる背中側ベルト部と、
前記左右一対のカップ部のそれぞれの上端側と前記背中側ベルト部の上端側とに架け渡される左右一対の肩紐部と、
前記左右一対のカップ部のそれぞれからそれぞれ横方向に伸びる左右一対のサイドベルト片とを備えていて、
前記左右一対のサイドベルト片の先端側にそれぞれ配備されている前部係合手段と、
前記背中側ベルト部の左右両端側にそれぞれ配備されている後部係合手段とが、
互いに、係脱自在になっているブラジャーである。
【００２５】
前記左右一対の肩紐部を人体の右肩、左肩にそれぞれ掛けて前記ブラジャーを人体に着装する際、前記左右一対のサイドベルト片の先端側にそれぞれ配備されている前部係合手段と、前記背中側ベルト部の左右両端側にそれぞれ配備されている後部係合手段との間の係合が、当該人体の左右両方の脇の下の位置に対応する位置でそれぞれ行われる。
【００２６】
前後一対になっていてそれぞれ上下方向に伸びる前身頃と、後身頃、
前記前身頃と、前記後身頃の、前記上下方向に直交する方向である左右方向におけるそれぞれの端側の上端側同士を連結する左右一対の肩紐部、
前記前身頃の前記左右方向における一方の端側と、これに対応する前記後身頃の前記左右方向における一方の端側及び、前記前身頃の前記左右方向における他方の端側と、これに対応する前記後身頃の前記左右方向における他方の端側にそれぞれ配備されていて、両者の間の係脱を行う、前部係合手段と、後部係合手段と、
を備えている肌着である。
【００２７】
前記左右一対の肩紐部を人体の右肩、左肩にそれぞれ掛けて前記肌着を人体に着装する際、前記前身頃の前記左右方向における前記一方の端側と前記他方の端側にそれぞれ配備されている前記前部係合手段と、前記後身頃の前記左右方向における前記一方の端側と前記他方の端側にそれぞれ配備されている前記後部係合手段との間の係合が、当該人体の左右両方の脇の下の位置に対応する位置でそれぞれ行われる。
【発明の効果】
【００２８】
この発明によれば次のような効果が発揮される。
【００２９】
腕や肩、ひじなどをあまり動かすことなしに着脱可能な、袖のないノースリーブの肌着（例えば、女性・婦人用であれば、ブラジャー、シュミーズ（シミーズ）、スリップなど、男性用であれば、頭部を通す開口部が円形状などになっている、いわゆる、丸首や、Ｕネック、Ｖネックなどのノースリーブの肌着）を提供することができる。
【００３０】
介護者が、被介護者に腕や肩、ひじなどをあまり動かしてもらうことなく、被介護者の体に簡単に着脱できる、袖のないノースリーブの肌着（例えば、女性・婦人用であれば、ブラジャー、シュミーズ（シミーズ）、スリップなど、男性用であれば、頭部を通す開口部が円形状などになっている、いわゆる、丸首や、Ｕネック、Ｖネックなどのノースリーブの肌着）を提供することができる。
【００３１】
被介護者がブラジャーを付け、その上に、肌着やブラウスなどを着ている状態で、被介護者に腕や肩、ひじなどをあまり動かしてもらうことなく、介護者が、被介護者の体から簡単に取り外すことのできるブラジャーを提供することができる。
【００３２】
被介護者がブラジャーを付けずに、肌着やブラウスなどを着ているときに、その状態で、被介護者に腕や肩、ひじなどをあまり動かしてもらうことなく、介護者が、被介護者の体に簡単に着装できるブラジャーを提供することができる。
【図面の簡単な説明】
【００３３】
【図１】この発明の一実施形態を一方側の斜め前方から表した図。
【図２】この発明の一実施形態を他方側の斜め前方から表した図。
【図３】この発明の一実施形態に係るブラジャーを人体に着脱する状態を説明する斜視図。
【図４】この発明の他の実施形態を一方側の斜め前方から表した図。
【図５】この発明の他の実施形態を他方側の斜め前方から表した図。
【図６】この発明の他の実施形態に係る肌着を人体に着脱する状態を説明する斜視図。
【発明を実施するための形態】
【００３４】
（実施の形態１）
図１〜図３を参照してこの発明の一実施形態に係る肌着としてブラジャーを説明する。
【００３５】
この実施の形態のブラジャー１は、左右一対のカップ部２ａ、２ｂと、左右方向に伸びる背中側ベルト部３と、左右一対のカップ部２ａ、２ｂのそれぞれの上端側と背中側ベルト部３の上端側とに架け渡される左右一対の肩紐部４ａ、４ｂとを備えている。
【００３６】
左右一対のカップ部２ａ、２ｂのそれぞれからはそれぞれ横方向に左右一対のサイドベルト片５ａ、５ｂが伸びている。
【００３７】
左右一対のサイドベルト片５ａ、５ｂの先端側には前部係合手段がそれぞれ配備されている。この実施形態では前部係合手段として鉤部６ａ、６ｂ、７ａ、７ｂがそれぞれ配備されている。
【００３８】
背中側ベルト部３の左右両端側３ａ、３ｂには後部係合手段がそれぞれ配備されている。この実施形態では後部係合手段として、鉤部６ａ〜７ｂがそれぞれ係合される、係合部８ａ、８ｂ、９ａ、９ｂがそれぞれ配備されている。
【００３９】
左右一対のサイドベルト片５ａ、５ｂの先端側に前部係合手段として鉤部６ａ、６ｂ、７ａ、７ｂが配備されている位置は、左右一対の肩紐部４ａ、４ｂを、ブラジャー１を着装する人、例えば、被介護者の右肩、左肩にそれぞれ掛けてブラジャー１をその人に着装する際に、その人（例えば、被介護者）の体の大きさ、体型に応じて、前部係合手段（鉤部６ａ、６ｂ、７ａ、７ｂ）と、後部係合手段（係合部８ａ、８ｂ、９ａ、９ｂ）と間の係合が、それぞれ、その人（被介護者）の左右両方の脇の下の位置に対応する位置で行われる位置になっている。
【００４０】
以下、介護者が、ブラジャー１を被介護者の体に着脱する場合の一例を説明する。
【００４１】
介護者が、ブラジャー１を被介護者の体に着装する際には、図３図示の状態のブラジャー１を、左右一対のカップ部２ａ、２ｂが人体の胸の側、背中側ベルト部３が人体の背中側になるようにして、被介護者の体の上側から矢印１０で示す方向に下ろし、肩紐部４ａを被介護者の右肩に、肩紐部４ｂを被介護者の左肩に掛ける。
【００４２】
その後、被介護者の体の右の脇の下の位置に対応する位置で、サイドベルト片５ａの先端側に配備されている鉤部６ａ、６ｂを、背中側ベルト部３の一方の端側３ａに配備されている係合部８ａ、８ｂに係合させ、被介護者の体の左の脇の下の位置に対応する位置で、サイドベルト片５ｂの先端側に配備されている鉤部７ａ、７ｂを、背中側ベルト部３の他方の端側３ｂに配備されている係合部９ａ、９ｂに係合させる。
【００４３】
このようにして簡単にブラジャー１を被介護者に着装することができる。
【００４４】
そこで、被介護者は、自分の腕や肩、ひじなどを動かすことなしにブラジャー１の着装を受けることができる。
【００４５】
また、従来のブラジャーであれば、人体の背中側あるいは、胸の前側中央で行っていた係合を、人体の横側である、被介護者の体の右の脇の下の位置及び、被介護者の体の左の脇の下の位置で行うことができるので、介護者は、簡単にブラジャーの着装を行うことができる。
【００４６】
更に、上述したように、ブラジャー１を上から下に向けて下ろして肩紐部４ａ、４ｂをそれぞれ被介護者の右肩、左肩に掛け、左右一対のカップ部２ａ、２ｂの位置などを合わせた後、被介護者の体の右の脇の下の位置及び、左の脇の下の位置で係合を行うだけでブラジャー１の着装を行うことができる。
【００４７】
そこで、ブラジャーを付けずに、肌着やブラウスなどを着ている被介護者に対して介護者がブラジャー１の着装を行う場合であっても、肌着やブラウスなどを脱がせる必要はなく、被介護者が、腕や肩、ひじなどをほとんど動かすことなしに、簡単に、ブラジャー１を着装することができる。
【００４８】
一方、介護者が、ブラジャー１を被介護者の体から取り外すときには、介護者は、被介護者の体の右の脇の下の位置に対応する位置で係合しているサイドベルト片５ａの先端側に配備されている鉤部６ａ、６ｂと、背中側ベルト部３の一方の端側３ａに配備されている係合部８ａ、８ｂとの間の係合を解除する。また、被介護者の体の左の脇の下の位置に対応する位置で係合しているサイドベルト片５ｂの先端側に配備されている鉤部７ａ、７ｂと、背中側ベルト部３の他方の端側３ｂに配備されている係合部９ａ、９ｂとの間の係合を解除する。
【００４９】
こうして図３図示の状態になったブラジャー１を、矢印１１で示す方向に持ち上げる。
【００５０】
このようにして簡単にブラジャー１を被介護者から取り外すことができる。
【００５１】
そこで、被介護者は、自分の腕や肩、ひじなどをほとんど動かすことなしにブラジャー１を取り外してもらうことができる。
【００５２】
また、従来のブラジャーであれば、人体の背中側あるいは、胸の前側中央で行っていた係合解除を、人体の横側である、被介護者の体の右の脇の下の位置及び、被介護者の体の左の脇の下の位置で行うことができるので、介護者は、簡単に取り外しを行うことができる。
【００５３】
更に、上述したように、人体の横側である、被介護者の体の右の脇の下の位置及び、被介護者の体の左の脇の下の位置で係合解除した後、ブラジャー１を下から上に向けて引き上げるだけでブラジャー１の取り外しを行うことができる。
【００５４】
そこで、被介護者がブラジャー１を付け、その上に、肌着やブラウスなどを着ている状態であっても、肌着やブラウスなどを脱がせる必要はなく、被介護者が、腕や肩、ひじなどをほとんど動かさずに、簡単にブラジャー１を取り外すことができる。
【００５５】
上述した実施形態では、左右一対のサイドベルト片５ａ、５ｂの先端側に配備されている前部係合手段を鉤部６ａ、６ｂ、７ａ、７ｂとし、背中側ベルト部３の左右両端側３ａ、３ｂに配備されている後部係合手段をそれらに係合する係合部８ａ、８ｂ、９ａ、９ｂとしていた。
【００５６】
これに替えて、互いに着脱自在に係合する面ファスナーを前部係合手段、後部係合手段に採用することもできる。
【００５７】
面ファスナーを前部係合手段、後部係合手段に採用すると、例えば、介護者が片手で係合やその解除を行う上で有利である。また、面ファスナーの横方向（すなわち、背中側ベルト部３が左右に伸びる方向）にわたる長さ（横方向の幅）を、ある程度余裕をもって設定しておくことにより、互いに係合させる位置を、人体の横側である、被介護者の体の右の脇の下の位置及び、被介護者の体の左の脇の下の位置にすることが容易になって有利である。
【００５８】
（実施の形態２）
図４〜図６を参照してこの発明の他の実施形態に係る肌着（例えば、女性・婦人用のノースリーブの肌着であるシュミーズ（シミーズ）や、スリップなど、あるいは、男性用の、頭部を通す開口部が円形状などになっている、いわゆる、丸首や、Ｕネック、Ｖネックなどのノースリーブの肌着）を説明する。
【００５９】
この実施の形態の肌着２１は、前身頃２２、後身頃２３、肩紐部２４ａ、肩紐部２４ｂを備えている。
【００６０】
前身頃２２、後身頃２３は、前後一対になっていてそれぞれ上下方向（図４〜図６における上下方向）に伸びている。
【００６１】
肩紐部２４ａ、肩紐部２４ｂは、前身頃２２と、後身頃２３の、上下方向に直交する方向である左右方向（すなわし、図４〜図６における左右方向）におけるそれぞれの端側の上端側同士を連結する左右一対の肩紐部である。
【００６２】
前身頃２２の左右方向における一方の端側２２ａと、これに対応する後身頃２３の左右方向における一方の端側２３ａ及び、前身頃２２の左右方向における他方の端側２２ｂと、これに対応する後身頃２３の左右方向における他方の端側２３ｂには、それぞれ、前部係合手段と、後部係合手段とが配備されている。
【００６３】
そして、前部係合手段と、後部係合手段とによって、前身頃２２と後身頃２３との間の係脱、この実施の形態では、前身頃２２の一方の端側２２ａと、これに対応する後身頃２３の一方の端側２３ａとの間の係脱、前身頃２２の他方の端側２２ｂと、これに対応する後身頃２３の他方の端側２３ｂとの間の係脱が行われる。
【００６４】
この実施形態では前部係合手段として鉤部２６ａ、２６ｂ、２７ａ、２７ｂがそれぞれ配備されている。
【００６５】
また、後部係合手段として、鉤部２６ａ〜２７ｂがそれぞれ係合される、係合部２８ａ、２８ｂ、２９ａ、２９ｂがそれぞれ配備されている。
【００６６】
前身頃２２の左右方向における一方の端側２２ａと、他方の端側２２ｂとに前部係合手段として鉤部２６ａ、２６ｂ、２７ａ、２７ｂが配備されている位置及び、後身頃２３の左右方向における一方の端側２３ａと、他方の端側２３ｂとに後部係合手段として係合部２８ａ、２８ｂ、２９ａ、２９ｂが配備されている位置は、左右一対の肩紐部２４ａ、２４ｂを、肌着２１を着装する人、例えば、被介護者の右肩、左肩にそれぞれ掛けて肌着２１をその人に着装する際に、その人（例えば、被介護者）の体の大きさ、体型に応じて、前部係合手段（鉤部２６ａ、２６ｂ、２７ａ、２７ｂ）と、後部係合手段（係合部２８ａ、２８ｂ、２９ａ、２９ｂ）と間の係合が、それぞれ、その人（被介護者）の左右両方の脇の下の位置に対応する位置で行われる位置になっている。
【００６７】
以下、介護者が、肌着２１を被介護者の体に着脱する場合の一例を説明する。
【００６８】
介護者が、肌着２１を被介護者の体に着装する際には、図６図示の状態の肌着２１を、前身頃２２が人体の胸の側、後身頃２３が人体の背中側になるようにして、被介護者の体の上側から矢印３０で示す方向に下ろし、被介護者の頭部を、肩紐部２４ａと肩紐部２４ｂとの間に区画・形成される開口部２５ａに通過させ、肩紐部２４ａを被介護者の右肩に、肩紐部２４ｂを被介護者の左肩に掛ける。
【００６９】
なお、肌着２１が、図３〜図６図示のように、女性・婦人用の肌着である場合には、前身頃２２の上側に位置している胸部２２ａ、２２ｂが被介護者の胸にあたるように調整する。
【００７０】
その後、被介護者の体の右の脇の下の位置に対応する位置で、前身頃２２の左右方向における一方の端側２２ａに配備されている鉤部２６ａ、２６ｂを、これに対応する後身頃２３の一方の端側２３ａに配備されている係合部２８ａ、２８ｂに係合させる。また、被介護者の体の左の脇の下の位置に対応する位置で、前身頃２２の左右方向における他方の端側２２ｂに配備されている鉤部２７ａ、２７ｂを、これに対応する後身頃２３の他方の端側２３ｂに配備されている係合部２９ａ、２９ｂに係合させる。
【００７１】
このようにして簡単に肌着２１を被介護者に着装することができる。
【００７２】
すなわち、肌着２１を上から下に向けて下ろして肩紐部２４ａ、２４ｂをそれぞれ被介護者の右肩、左肩に掛けた後、被介護者の体の右の脇の下の位置及び、左の脇の下の位置で係合を行うだけで肌着２１の着装を行うことができる。
【００７３】
介護者は、被介護者の体の右の脇の下の位置及び、被介護者の体の左の脇の下の位置で係合を行えばよいので、簡単に、被介護者に対する肌着２１の着装を行うことができる。
【００７４】
被介護者は、左右両方の肩に架け渡される肩紐部と身頃部に相当する部分との間に形成される開口部に、ひじを曲げ、肩を動かして、右腕、左腕を通す、という従来の、袖なし・ノースリーブの肌着を着脱する際に必要であった、自分の腕や肩、ひじなどを大きく動かす動作をすることなしに肌着２１の着装を受けることができる。
【００７５】
従来の肌着であれば、人体に着脱する際には、肌着を着装する人の左右両方の肩に架け渡される部分である肩紐部２４ａ、２４ｂと身頃部に相当する部分との間に形成される開口部２５ｂ（図４）、２５ｃ（図５）に、肌着を着装する人が、ひじを曲げ、肩を動かして、右腕、左腕を通す必要があった。
【００７６】
しかし、この実施形態では、上述したようにして着装することができるので、被介護者は、自分の腕や肩、ひじなどを従来のように動かすことなしに肌着２１の着装を受けることができる。
【００７７】
また、介護者が、肌着２１を被介護者の体から取り外すときには、介護者は、被介護者の体の右の脇の下の位置に対応する位置で係合している、前身頃２２の左右方向における一方の端側２２ａに配備されている鉤部２６ａ、２６ｂと、これに対応する後身頃２３の一方の端側２３ａに配備されている係合部２８ａ、２８ｂとの間の係合を解除する。更に、被介護者の体の左の脇の下の位置に対応する位置で係合している、前身頃２２の左右方向における他方の端側２２ｂに配備されている鉤部２７ａ、２７ｂと、これに対応する後身頃２３の他方の端側２３ｂに配備されている係合部２９ａ、２９ｂとの間の係合を解除する。
【００７８】
こうして図６図示の状態になった肌着２１を、矢印３１で示す方向に持ち上げ、被介護者の頭部を、肩紐部２４ａと肩紐部２４ｂとの間に区画・形成される開口部２５ａに通過させる。
【００７９】
このようにして簡単に肌着２１を被介護者から取り外すことができる。
【００８０】
そこで、被介護者は、自分の腕や肩、ひじなどをほとんど動かすことなしに肌着２１を取り外してもらうことができる。
【００８１】
また、介護者は、被介護者の体の右の脇の下の位置及び、被介護者の体の左の脇の下の位置で係合解除を行えばよいので、簡単に、肌着２１の取り外しを行うことができる。
【００８２】
上述した実施形態では、前身頃２２の左右方向における一方の端側２２ａと、これに対応する後身頃２３の左右方向における一方の端側２３ａ及び、前身頃２２の左右方向における他方の端側２２ｂと、これに対応する後身頃２３の左右方向における他方の端側２３ｂに、それぞれ配備している、前部係合手段を鉤部２６ａ、２６ｂ、２７ａ、２７ｂ、後部係合手段を鉤部２６ａ〜２７ｂがそれぞれ係合される、係合部２８ａ、２８ｂ、２９ａ、２９ｂとしていた。
【００８３】
これに替えて、互いに着脱自在に係合する面ファスナーを前部係合手段、後部係合手段に採用することもできる。
【００８４】
面ファスナーを前部係合手段、後部係合手段に採用すると、例えば、介護者が片手で係合やその解除を行う上で有利である。また、面ファスナーの横方向（すなわち、前身頃２２、後身頃２３が伸びる上下方向に直交する方向である左右方向）にわたる長さ（横方向の幅）を、ある程度余裕をもって設定しておくことにより、互いに係合させる位置を、人体の横側である、被介護者の体の右の脇の下の位置及び、被介護者の体の左の脇の下の位置にすることが容易になって有利である。
【００８５】
図４〜図６図示の実施形態では、前身頃２２、後身頃２３それぞれの上端側に一か所のみ前部係合手段、後部係合手段を配備しているが、前部係合手段、後部係合手段が配備される位置は図示の実施形態に限られない。
【００８６】
左右一対の肩紐部２４ａ、２４ｂを、肌着２１を着装する人、例えば、被介護者の右肩、左肩にそれぞれ掛けて肌着２１をその人に着装する際に、その人（例えば、被介護者）の体の大きさ、体型に応じて、前部係合手段（鉤部２６ａ、２６ｂ、２７ａ、２７ｂ）と、後部係合手段（係合部２８ａ、２８ｂ、２９ａ、２９ｂ）と間の係合が、それぞれ、その人（被介護者）の左右両方の脇の下の位置に対応する位置で行われる位置になっているのであれば、前身頃２２の左右方向における一方の端側２２ａと、他方の端側２２ｂとに前部係合手段として鉤部２６ａ、２６ｂ、２７ａ、２７ｂ、後身頃２３の左右方向における一方の端側２３ａと、他方の端側２３ｂとに後部係合手段として係合部２８ａ、２８ｂ、２９ａ、２９ｂが配備されている位置は、図４〜図６に図示されている実施形態に限られない。
【００８７】
また、前身頃２２の左右方向における一方の端側２２ａと、他方の端側２２ｂとに前部係合手段が配備される上下方向における位置及び、この位置に対応して、後身頃２３の左右方向における一方の端側２３ａと、他方の端側２３ｂとに後部係合手段が配備される上下方向における位置も、左右一対の肩紐部２４ａ、２４ｂを、肌着２１を着装する人、例えば、被介護者の右肩、左肩にそれぞれ掛けて肌着２１をその人に着装する際に、その人（例えば、被介護者）の体の大きさ、体型に応じて、前部係合手段（鉤部２６ａ、２６ｂ、２７ａ、２７ｂ）と、後部係合手段（係合部２８ａ、２８ｂ、２９ａ、２９ｂ）と間の係合が、それぞれ、その人（被介護者）の左右両方の脇の下の位置に対応する位置で行われる位置になっているのであれば、図４〜図６に図示されている実施形態に限られない。
【００８８】
前身頃２２、後身頃２３それぞれの上下方向に所定の間隔を空けて、それぞれ、複数個所ずつ前部係合手段、後部係合手段を配備することもできる。
【００８９】
同様の変更は、前部係合手段、後部係合手段として面ファスナーを採用する場合でも、同じように行うことができる。
【００９０】
例えば、前部係合手段、後部係合手段として面ファスナーを採用する場合も、前身頃２２、後身頃２３それぞれの上下方向に所定の間隔を空けて、それぞれ、複数個所ずつ面ファスナーからなる前部係合手段、後部係合手段を配備したり、面ファスナーの上下方向に伸びる長さを大きくしておく、等の変更が可能である。
【００９１】
また、肩紐部２４ａ、肩紐部２４ｂの形状、構造は図示したものに限られない。肌着２１が人体に着脱される際に、肩紐部２４ａと肩紐部２４ｂとの間に区画・形成される開口部２５ａを当該人体の頭部が通過し、上記で説明したように着装された際に、肩紐部２４ａ、２４ｂと身頃部に相当する部分との間に形成される開口部２５ｂ（図４）、２５ｃ（図５）を介して、人体の右腕、左腕が出ているようになる形状、構造であれば、図示した形状、構造に限られず、種々に変更可能である。
【００９２】
以上、添付図面を参照して本発明の実施形態を説明したが本発明はこれらに限られるものではなく特許請求の範囲の記載から把握される技術的範囲においいて種々に変更可能である。
【符号の説明】
【００９３】
１            ブラジャー
２ａ、２ｂ    左右一対のカップ部
３            背中側ベルト部
４ａ、４ｂ    肩紐部
５ａ、５ｂ    左右一対のサイドベルト片
６ａ、６ｂ、７ａ、７ｂ  前部係合手段（鉤部）
８ａ、８ｂ、９ａ、９ｂ  後部係合手段（係合部）
２１    肌着
２２    前身頃
２３    後身頃
２４ａ  肩紐部
２４ｂ  肩紐部
２２ａ  前身頃の左右方向における一方の端側
２３ａ  後身頃の左右方向における一方の端側
２２ｂ  前身頃の左右方向における他方の端側
２３ｂ  後身頃の左右方向における他方の端側
２６ａ、２６ｂ、２７ａ、２７ｂ  前部係合手段（鉤部）
２８ａ、２８ｂ、２９ａ、２９ｂ  後部係合手段（係合部）
【図１】
2017002443.tif 000003
【図２】
2017002443.tif 000004
【図３】
2017002443.tif 000005
【図４】
2017002443.tif 000006
【図５】
2017002443.tif 000007
【図６】
2017002443.tif 000008
【手続補正書】
【提出日】平成27年10月8日(2015.10.8)
【手続補正１】
【補正対象書類名】特許請求の範囲
【補正対象項目名】全文
【補正方法】変更
【補正の内容】
【特許請求の範囲】
【請求項１】
介護者が被介護者の体にブラジャーを着脱する方法であって、
左右一対のカップ部と、
左右方向に伸びる背中側ベルト部と、
前記左右一対のカップ部のそれぞれの上端側と前記背中側ベルト部の上端側とに架け渡される左右一対の肩紐部と、
前記左右一対のカップ部のそれぞれからそれぞれ横方向に伸びる左右一対のサイドベルト片とを備えていて、
前記左右一対のサイドベルト片の先端側にそれぞれ配備されている前部係合手段と、
前記背中側ベルト部の左右両端側にそれぞれ配備されている後部係合手段とが、
互いに、係脱自在になっている
ブラジャーを用い、
前記介護者が前記ブラジャーを、前記左右一対のカップ部が前記被介護者の胸の側、前記背中側ベルト部が前記被介護者の背中側になるようにして、前記被介護者の体の上側から下側に向けて下ろして前記左右一対の肩紐部をそれぞれ前記被介護者の右肩及び左肩に掛け、
前記左右一対のサイドベルト片の先端側にそれぞれ配備されている前記前部係合手段と、前記背中側ベルト部の左右両端側にそれぞれ配備されている前記後部係合手段との間の係合を、前記被介護者の左右両方の脇の下の位置に対応する位置でそれぞれ行うことにより、
肌着を着ている前記被介護者に対して、前記肌着を前記被介護者から脱がすことなく、前記介護者が前記被介護者の体に前記ブラジャーを装着し、
前記被介護者の前記脇の下の位置に対応する位置で係合している前記前部係合手段と前記後部係合手段との間の係合をそれぞれ解除し、
前記ブラジャーを前記被介護者の体の上側に向けて持ち上げることにより、
前記肌着を着ている前記被介護者から前記肌着を脱がすことなく、前記介護者が前記被介護者の体から前記ブラジャーを取り外す
ブラジャーの着脱方法。
【請求項２】
介護者が被介護者の体に肌着を着脱する方法であって、
前後一対になっていてそれぞれ上下方向に伸びる前身頃と、後身頃、
前記前身頃と、前記後身頃の、前記上下方向に直交する方向である左右方向におけるそれぞれの端側の上端側同士を連結する左右一対の肩紐部、
前記前身頃の前記左右方向における一方の端側と、これに対応する前記後身頃の前記左右方向における一方の端側及び、前記前身頃の前記左右方向における他方の端側と、これに対応する前記後身頃の前記左右方向における他方の端側にそれぞれ配備されていて、両者の間の係脱を行う、前部係合手段と、後部係合手段と、
を備えている肌着を用い、
前記介護者が前記肌着を、前記前身頃が前記被介護者の胸の側、前記後身頃が前記被介護者の背中側になるようにして、前記被介護者の体の上側から下側に向けて下ろし、前記被介護者の頭部を、前記左右一対の肩紐部の間に区画・形成される開口部に通過させ、前記左右一対の肩紐部をそれぞれ前記被介護者の右肩及び左肩に掛け、
前記前身頃の前記左右方向における前記一方の端側と前記他方の端側にそれぞれ配備されている前記前部係合手段と、前記後身頃の前記左右方向における前記一方の端側と前記他方の端側にそれぞれ配備されている前記後部係合手段との間の係合を、前記被介護者の左右両方の脇の下の位置に対応する位置でそれぞれ行うことにより、
前記介護者が前記被介護者の体に前記肌着を装着し、
前記被介護者の左右両方の脇の下の位置に対応する位置でそれぞれ係合している、前記前部係合手段と前記後部係合手段との間の係合をそれぞれ解除し、
前記肌着を前記被介護者の体の上側に向けて持ち上げて、前記被介護者の頭部を前記左右一対の肩紐部の間に区画・形成される前記開口部に通過させ、
前記介護者が前記被介護者の体から前記肌着を取り外す
肌着の着脱方法。
【手続補正書】
【提出日】平成28年1月20日(2016.1.20)
【手続補正１】
【補正対象書類名】特許請求の範囲
【補正対象項目名】全文
【補正方法】変更
【補正の内容】
【特許請求の範囲】
【請求項１】
介護者が被介護者の体にブラジャーを着脱する方法であって、
左右一対のカップ部と、
左右方向に伸びる背中側ベルト部と、
前記左右一対のカップ部のそれぞれの上端側と前記背中側ベルト部の上端側とに架け渡される左右一対の肩紐部と、
前記左右一対のカップ部のそれぞれからそれぞれ横方向に伸びる左右一対のサイドベルト片とを備えていて、
前記左右一対のサイドベルト片の先端側にそれぞれ配備されている前部係合手段と、
前記背中側ベルト部の左右両端側にそれぞれ配備されている後部係合手段とが、
互いに、係脱自在になっている
ブラジャーを用い、
前記介護者が前記ブラジャーを、前記左右一対のカップ部が前記被介護者の胸の側、前記背中側ベルト部が前記被介護者の背中側になるようにして、前記被介護者の体の上側から下側に向けて下ろして前記左右一対の肩紐部をそれぞれ前記被介護者の右肩及び左肩に掛け、
前記左右一対のサイドベルト片の先端側にそれぞれ配備されている前記前部係合手段と、前記背中側ベルト部の左右両端側にそれぞれ配備されている前記後部係合手段との間の係合を、前記被介護者の左右両方の脇の下の位置に対応する位置でそれぞれ行うことにより、
肌着を着ている前記被介護者に対して、前記肌着を前記被介護者から脱がすことなく、前記介護者が前記被介護者の体に前記ブラジャーを装着し、
前記被介護者の前記脇の下の位置に対応する位置で係合している前記前部係合手段と前記後部係合手段との間の係合をそれぞれ解除し、
前記ブラジャーを前記被介護者の体の上側に向けて持ち上げることにより、
前記肌着を着ている前記被介護者から前記肌着を脱がすことなく、前記介護者が前記被介護者の体から前記ブラジャーを取り外す
ブラジャーの着脱方法。